(57)【要約】【課題】省エネルギーであり、光源が発する熱の影響を照射対象物体に与えにくく、かつ簡易な構造で省スペース化が可能な照明器具、および、該照明器具を備える水槽を提供する。【解決手段】照明器具１は、照射対象物体に該照射対象物体を透過する光を照射する照明器具であり、有機ＥＬパネル２と、有機ＥＬパネル２が装着される照明器具本体３とを備える。有機ＥＬパネル２は、有機ＥＬパネル２の照射面が開放された状態で、照明器具本体３に装着される。照明器具本体３は、有機ＥＬパネル２が装着された状態において、照射対象物体から所定の距離に離隔して、有機ＥＬパネル２を照射対象物体に保持する保持部を備える。【選択図】図１
2011141992.tif 000002
【特許請求の範囲】
【請求項１】
照射対象物体に該照射対象物体を透過する光を照射する照明器具であって、
少なくとも、有機ＥＬパネルと、前記有機ＥＬパネルが装着される照明器具本体とを備え、
前記有機ＥＬパネルは、該有機ＥＬパネルの照射面が開放された状態で、前記照明器具本体に装着され、
前記照明器具本体は、前記有機ＥＬパネルが装着された状態において、前記照射対象物体から所定の距離に離隔して、前記有機ＥＬパネルを前記照射対象物体に保持する保持部を備える、
ことを特徴とする照明器具。
【請求項２】
前記照明器具本体の前記保持部は、凹状の引掛部が形成された掛止部材であり、
前記照明器具本体は、少なくとも、前記掛止部材と、内壁に溝が形成された枠部とを備え、
前記有機ＥＬパネルは、前記枠部の前記溝に嵌合することにより、前記照明器具本体に装着され、
前記有機ＥＬパネルが装着された前記照明器具本体は、前記引掛部が前記照射対象物体の上端に引っ掛けられることにより、前記照射対象物体に保持される、
ことを特徴とする請求項１に記載の照明器具。
【請求項３】
前記照明器具本体の前記枠部は、略コの字状であり、
前記有機ＥＬパネルは、略コの字状の前記枠部の開放された一側面から挿入されるよう、前記照明器具本体に装着される、
ことを特徴とする請求項２に記載の照明器具。
【請求項４】
前記照明器具本体は、前記枠部を前記掛止部材に対して回動可能に保持する第１の軸部材および第１の軸保持部を備えることを特徴とする請求項２または３に記載の照明器具。
【請求項５】
前記照明器具本体は、前記掛止部材と前記枠部との間を機械的に接続する接続部材と、
前記接続部材を前記掛止部材に対して回動可能に保持する第１の軸部材および第１の軸保持部と、
前記枠部を前記接続部材に対して回動可能に保持する第２の軸部材および第２の軸保持部と、
を備えることを特徴とする請求項２または３に記載の照明器具。
【請求項６】
前記照射対象物体は、水槽であることを特徴とする請求項１ないし５のいずれか１項に記載の照明器具。
【請求項７】
請求項１ないし６のいずれか１項に記載の照明器具を備えることを特徴とする水槽。
【発明の詳細な説明】
【技術分野】
【０００１】
本発明は、有機エレクトロルミネッセンスパネルを用いる照明器具、および該照明器具を備える水槽に関する。
【背景技術】
【０００２】
近年、照明器具として、有機エレクトロルミネッセンス（electroluminescent）（以下、有機ＥＬ）パネルを光源として搭載した照明器具が提案されている。有機ＥＬパネルを構成する有機ＥＬ素子は、有機薄膜を正孔注入電極および電子注入電極で挟んだ構造をしている。電極に注入された正孔と電子とが、有機薄膜内の発光層で再結合し励起状態が生じる。再結合のエネルギーによって励起された有機分子が基底状態に戻るとき、発光が得られる。
【０００３】
例えば、特許文献１には、有機ＥＬパネルから照射される光の配光を制御するとともに、有機ＥＬパネルからの熱を効率よく放熱することが可能な照明装置について記載されている。具体的には、構造部材の上面に有機ＥＬパネルを搭載して構成される有機ＥＬ照明装置において、構造部材上面に放熱性を有する部材が設けられ、構造部材と放熱性を有する部材とが放熱接続されている有機ＥＬ照明装置について記載されている。
【０００４】
一方、水槽用の照明器具としては、蛍光ランプ、メタルハライドランプ（Metal Halide Lamp）、ＬＥＤ（Light Emitting Diode）または有機ＥＬパネル等、様々な光源を用いたものが実用化されている。例えば、特許文献２には、水槽の周壁の外側に設置し、電球を光源として用いた水槽の照明装置について記載されている。特許文献３には、光源に高輝度発光ダイオードを用いた照明装置を、水槽本体の上部等に取り付けた観賞魚用水槽について記載されている。具体的には、水槽本体の上部開口の長手方向に沿って取り付けられている、赤色、青色および緑色の光を発光する高輝度発光ダイオードを有する管状の照明装置について記載されている。
【０００５】
さらに、特許文献４には、発熱を伴って発光する光源を備えた水槽について記載されている。具体的には、水槽と、発熱を伴って発光し水槽を照明する光源と、光源で発生した熱を水槽内に伝達する伝熱手段とを有する光源を備えた水槽について記載されており、光源としてはＬＥＤまたは有機ＥＬが挙げられている。
【先行技術文献】
【特許文献】
【０００６】
【特許文献１】特開２００９−１６４０２２号公報
【特許文献２】実開平０６−０６８４４１号公報
【特許文献３】特開２００３−０６１５０８号公報
【特許文献４】特開２００９−０６４６６１号公報
【発明の概要】
【発明が解決しようとする課題】
【０００７】
しかし、前述した特許文献３に記載の観賞魚用水槽においては、水槽本体の上部開口の長手方向に沿って照明装置が取り付けられているため、水槽内の手入れを行う際に邪魔になってしまう。一方、特許文献２に記載されている照明装置は、水槽の側方に吊り下げて設置するため、このような問題は発生しない。
【０００８】
このような照明器具（照明装置）、すなわち照射対象物体（例えば水槽のガラス等の透光性のある部材）に該照射対象物体を透過する光を照射して使用される照明器具については、スペースをあまりとらない方が望ましい。しかし、特許文献２に記載されている照明装置は、電球を光源として用いているため、水槽の側方に大幅にスペースをとってしまう。
【０００９】
一方、水槽用の光源として用いられるメタルハライドランプは、蛍光ランプと比較して非常に明るく、かつ蛍光ランプよりも小型である。しかし、光源が発する熱が大きく、照射対象物体である透光性のある部材に影響を与える可能性がある。その結果、水槽用の照明器具として用いた場合には、水温に影響を与える可能性があり、水温管理が難しいという問題がある。そのため、光源との空間を大幅に設ける必要があり、省スペース化が難しい。
【００１０】
有機ＥＬパネルは、これらの光源と比べて非常に薄く省スペース化が可能であり、かつエネルギーの光への変換効率がよく省エネルギーである。しかし、前述したメタルハライドランプと同様に、有機ＥＬパネルが発する熱の影響も考慮して照明器具を設計しなければならない。
【００１１】
特許文献４に記載の水槽は、光源で発生した熱を水槽内に伝達し水温を調節するものであり、伝熱手段にヒートパイプまたはヒートスプレッダを用いているため、放熱構造および省スペース化を目的としたものではない。特許文献１に記載の照明器具は、有機ＥＬパネルからの熱を効率よく放熱することが可能であるが、構造部材上面に放熱性を有する部材を設け構造部材と放熱性を有する部材とを放熱接続する必要があるため、照明器具の構造が複雑となり、また、スペースをとってしまう可能性もある。
【００１２】
本発明は上記事情に鑑みてなされたものであり、省エネルギーであり、光源が発する熱の影響を照射対象物体に与えにくく、かつ簡易な構造で省スペース化が可能な照明器具、および、該照明器具を備える水槽の提供を目的とする。
【課題を解決するための手段】
【００１３】
本発明の第１の観点に係る照明器具は、
照射対象物体に該照射対象物体を透過する光を照射する照明器具であって、
少なくとも、有機ＥＬパネルと、前記有機ＥＬパネルが装着される照明器具本体とを備え、
前記有機ＥＬパネルは、該有機ＥＬパネルの照射面が開放された状態で、前記照明器具本体に装着され、
前記照明器具本体は、前記有機ＥＬパネルが装着された状態において、前記照射対象物体から所定の距離に離隔して、前記有機ＥＬパネルを前記照射対象物体に保持する保持部を備える、
ことを特徴とする。
【００１４】
本発明の第２の観点に係る水槽は、本発明の第１の観点に係る照明器具を備えることを特徴とする。
【発明の効果】
【００１５】
本発明の照明器具および該照明器具を備える水槽によれば、省エネルギーであり、光源が発する熱の影響を照射対象物体に与えにくく、かつ簡易な構造で省スペース化が可能である。
【図面の簡単な説明】
【００１６】
【図１】本発明の実施の形態１に係る照明器具の構成例を示す分解斜視図である。
【図２】実施の形態１に係る照明器具の構成例を示す正面図である。
【図３】図２のＡ−Ａ’線で切断した断面図である。
【図４】実施の形態１に係る照明器具の使用状況を示す断面図である。
【図５】実施の形態１の変形例に係る照明器具の構成例を示す斜視図である。
【図６】実施の形態２に係る照明器具の構成例を示す分解斜視図である。
【図７】実施の形態２に係る照明器具の使用状況において、水槽側面から照射する場合を示す断面図である。
【図８】実施の形態２に係る照明器具の使用状況において、水槽側面から上方に移動させた場合を示す断面図である。
【図９】実施の形態２に係る照明器具の使用状況において、水槽上面から照射する場合を示す断面図である。
【図１０】実施の形態２の変形例に係る照明器具の構成例を示す分解斜視図である。
【図１１】実施の形態３に係る照明器具の構成例を示す分解斜視図である。
【図１２】実施の形態３の変形例に係る照明器具の構成例を示す分解斜視図である。
【図１３】実施の形態３の変形例に係る照明器具の使用状況を示す断面図である。
【図１４】実施の形態４に係る照明器具の構成例を示す正面図である。
【図１５】本発明に係る照明器具の点灯回路の一例である。
【発明を実施するための形態】
【００１７】
以下、本発明の実施の形態について図面を参照しながら詳細に説明する。図中同一または相当部分には同一符号を付す。
【００１８】
（実施の形態１）
図１は、本発明の実施の形態１に係る照明器具の構成例を示す分解斜視図である。照明器具１は、有機ＥＬパネル２と、有機ＥＬパネル２を装着する照明器具本体３とから構成される。なお、有機ＥＬパネル２を点灯させるための点灯手段については省略する。照明器具１は、照射対象物体に該照射対象物体を透過する光を照射する照明器具であり、その照射対象物体となる部材に保持されて使用される照明器具である。すなわち、透光性の物質から構成されている部材を照射対象物体とし、例えば、ガラス等から構成される水槽に保持され、使用される。以下、水槽９（図４参照）に保持される場合を想定して説明する。
【００１９】
本実施の形態１に係る照明器具本体３は、図１に示すように、略コの字状の枠部４と、掛止部材５とが一体に構成されている。掛止部材５には、凹状の引掛部６が形成されている。略コの字状の枠部４の内壁、すなわち有機ＥＬパネル２が収容される側壁側には、内壁に沿って同じく略コの字状に、有機ＥＬパネル２が嵌合する凹状の溝７が形成されている。略コの字状の枠部４の両端部には、凹状の引掛部６が形成された掛止部材５の一部が、枠部４の同一表面上から突出するように形成されている。照明器具本体３を構成する部材、すなわち枠部４および掛止部材５の材質は、有機ＥＬパネル２を装着し保持できる当該技術分野において公知の材質であればよく、例えばプラスチック、木材または金属等から構成されている。
【００２０】
有機ＥＬパネル２は、図１に示すように、略コの字状の枠部４の開放された一側面から、溝７に沿って挿入され、装着される。有機ＥＬパネル２の大きさは、照明器具本体３に収容、装着できるよう適宜調整されており、矩形状である。有機ＥＬパネル２は、例えば、ガラス等の透明基板上に、陽極を構成する透明電極、有機材料を含む発光層および陰極を構成する金属電極が順次積層されて形成されている。なお、有機ＥＬパネル２の電極部分の構造および有機ＥＬパネル２の点灯手段等は図示していないが、外部からの電源によって有機ＥＬパネル２を発光できればどのような構造でも構わない。
【００２１】
例えば、電極構造を有機ＥＬパネル２の周縁に設け、点灯回路を照明器具本体３の中に内蔵し、有機ＥＬパネル２を照明器具本体３に装着すると、電極構造と点灯回路とが電気的に接続するように構成してもよい。または、後述するような、照明器具本体３とは別に点灯回路を有する点灯装置８（図４参照）が設置されて配線される形態でも構わない。その他、有機ＥＬパネル２の点灯手段については、当該技術分野において公知である点灯手段のいずれでも構わない。
【００２２】
透明電極および金属電極に電圧を印加することで発光層が発光し、透明電極および基板を通じて光が外部に取り出される。なお、図１に示す例では、図の手前方向（照明器具本体３の掛止部材５が突出している方向）が透明電極側であり、有機ＥＬパネル２を照明器具本体３に装着し電気的接続を行った場合、図１の手前方向に向かって光が照射される。
【００２３】
図２は、実施の形態１に係る照明器具の構成例を示す正面図である。すなわち、照明器具本体３に有機ＥＬパネル２を装着した構成例を示す正面図である。なお、照明器具本体３の掛止部材５が突出している方向が、図の手前方向として描かれている。図３は、図２のＡ−Ａ’線で切断した断面図である。図２および図３に示すように、有機ＥＬパネル２を照明器具本体３に装着すると、有機ＥＬパネル２が枠部４に形成された溝７に嵌合するため、安定して保持できる。
【００２４】
図４は、実施の形態１に係る照明器具の使用状況を示す断面図である。図４に示す使用状況においては、点灯回路を有する点灯装置８が設置され、有機ＥＬパネル２と配線され電気的に接続されている。図４に示すように、有機ＥＬパネル２が装着された照明器具本体３は、二つの掛止部材５に形成された凹状の引掛部６が、照射対象物体である水槽９の側面の上端に引っ掛けられることにより、水槽９に保持される。この際、水槽９の上部は開放状態のままとなっている。照明器具１に電源を供給すると、図４に示す矢印の方向に光が照射される。
【００２５】
光が照射されると、それに伴い有機ＥＬパネル２から熱も発せられる。しかし、本実施の形態１に係る照明器具１では、照明器具本体３の掛止部材５の構造により、水槽９の側面と所定の距離に離隔して、有機ＥＬパネル２を水槽９の側面に保持するようになっており、有機ＥＬパネル２と水槽９の壁面とが接触しないようになっている。そのため、有機ＥＬパネル２が発する熱の影響を、水槽９のガラスおよび水槽９内の水に与えにくい。なお、所定の距離とは、有機ＥＬパネル２が発する熱の影響を照射対象物体（例えば水槽９のガラス等）に与えにくく、かつ、有機ＥＬパネル２が発する光が照射対象物体を透過し得る程度の離れた距離をいう。
【００２６】
また、有機ＥＬパネル２は略コの字状の枠部４に挿入され照明器具本体３に装着されるため、有機ＥＬパネル２の照射面および上端は開放された状態において使用される。したがって、有機ＥＬパネル２が発する熱による暖かい空気が留まることが少なく、放熱効率がよい。
【００２７】
その結果、本実施の形態１に係る照明器具１によれば、光源である有機ＥＬパネル２から発する熱の影響を照射対象物体であるガラス等からなる水槽９に与えにくく、水槽９内の水温に与える影響も小さく、水温管理を行いやすい。また、有機ＥＬパネル２を光源として使用しているため、省エネルギーである。さらに、照明器具本体３の構造も簡易な構造で省スペース化が可能であり、かつ、水槽９の上部を開放状態にできるため、水槽９内の手入れを行う際にも邪魔にならない。
【００２８】
図５は、実施の形態１の変形例に係る照明器具の構成例を示す斜視図である。実施の形態１では照明器具本体３の枠部４が略コの字状の場合について述べたが、図５に示すように、二つのＬ字状の枠部４から構成される構造でも構わない。この場合、枠部４の溝７も同じくＬ字状である。図５に示す変形例に係る照明器具１によれば、有機ＥＬパネル２は、下端も一部開放された状態において照明器具本体３の枠部４に装着され、使用される。そのため、有機ＥＬパネル２の放熱効率がさらによくなる。また、二つのＬ字状の枠部４の距離を適宜調整できるため、有機ＥＬパネル２および水槽９の側面の大きさに合わせ、調整して使用することができる。
【００２９】
以上、図１に示す実施の形態１では枠部４の溝７が略コの字状の場合、図５に示す実施の形態１の変形例では枠部４の溝７がＬ字状の場合について述べたが、有機ＥＬパネル２の左右の端部のみ溝７と嵌合するよう、枠部４の有機ＥＬパネル２の下端と接する部分には溝７が形成されていなくとも構わない。
【００３０】
（実施の形態２）
本実施の形態２においては、照明器具本体３の枠部４と掛止部材５とが一体に構成されておらず、枠部４が掛止部材５に対して回動可能に保持される点において前述した実施の形態１と異なる。以下、主に実施の形態１と異なる点について特に詳細に説明する。
【００３１】
図６は、実施の形態２に係る照明器具の構成例を示す分解斜視図である。照明器具１は、有機ＥＬパネル２と、照明器具本体３とから構成されている。図６に示す通り、照明器具本体３は、略コの字状の枠部４と、凹状の引掛部６が形成されている掛止部材５と、軸部１０ａおよびつまみ部１０ｂから構成されている第１の軸部材１０とから構成されており、いずれも二つずつ備えている。枠部４および掛止部材５の材質については、実施の形態１と同様である。
【００３２】
枠部４の内壁、すなわち有機ＥＬパネル２が収容される側壁側には、略コの字状に凹状の溝７が形成されている。さらに、枠部４の外壁の長手方向の面には、スライド孔１１が形成されている。掛止部材５には、第１の軸穴１２が形成されている。図６に示すように、有機ＥＬパネル２は、両側の側方から、枠部４、掛止部材５、第１の軸部材１０の順に挟まれるような状態において、照明器具本体３に装着される。
【００３３】
この際、第１の軸部材１０の軸部１０ａが、第１の軸穴１２およびスライド孔１１を貫通して装着されているため、枠部４は掛止部材５に対して、図６に示すＸ軸を中心軸として、回動可能に保持される。さらに、スライド孔１１が枠部４の外壁面の長手方向の面に設けられているため、有機ＥＬパネル２が装着された枠部４を回動させ、かつスライド孔１１に沿って移動させることができる。
【００３４】
図６には詳細に示していないが、軸部１０ａは、第１の軸穴１２およびスライド孔１１を貫通し、枠部４に保持されている。例えば、枠部４の側壁には溝７が形成されているが、内部は空洞になっており、ナット等の締結部材により保持されている。
【００３５】
図７は、実施の形態２に係る照明器具の使用状況において、水槽側面から照射する場合を示す断面図である。実施の形態１と同様、点灯装置８と有機ＥＬパネル２とが配線により電気的に接続されており、引掛部６を水槽９の側面の上端に引っ掛けることにより、水槽９に保持される。照明器具１に電源を供給すると、図７に示す矢印の方向に光が照射される。
【００３６】
図８は、実施の形態２に係る照明器具の使用状況において、水槽側面から上方に移動させた場合を示す断面図である。前述したように、有機ＥＬパネル２が装着された枠部４は、スライド孔１１に沿って移動させることができるため、図８に示すように有機ＥＬパネル２が装着された枠部４を上方に移動させることができる。
【００３７】
図９は、実施の形態２に係る照明器具の使用状況において、水槽上面から照射する場合を示す断面図である。図８に示す状態から回動させると、図９に示すように、枠部４が水槽９の上端で係止し、有機ＥＬパネル２の光が水槽９上面から矢印の方向に照射される。
【００３８】
本実施の形態２に係る照明器具１によれば、実施の形態１と同様に、光源である有機ＥＬパネル２から発する熱の影響を照射対象物体であるガラス等からなる水槽９に与えにくく、水槽９内の水温に与える影響も小さいため、水温管理を行いやすい。また、有機ＥＬパネル２を光源として使用しているため、省エネルギーである。さらに、照明器具本体３の構造も簡易な構造で省スペース化が可能である。
【００３９】
さらに、本実施の形態２に係る照明器具１によれば、二つの略コの字状の枠部４の距離を適宜調整できるため、有機ＥＬパネル２および水槽９の側面の大きさに合わせて使用することができる。また、枠部４は掛止部材５に対して回動可能に保持されるため、水槽９側面だけでなく水槽９上面からも照明を照射することができ、多様な雰囲気の演出によって水槽９内部を鑑賞することができる。
【００４０】
図１０は、実施の形態２の変形例に係る照明器具の構成例を示す分解斜視図である。図６に示す実施の形態２と比較すると、接続部材１３を備える点、スライド孔１１が形成されていない点、および、回動軸を二つ備える点において異なる。
【００４１】
第１の軸部材１０は、二つの第１の軸穴１２を貫通し、掛止部材５と接続部材１３とを機械的に接続している。第２の軸部材１４は、二つの第２の軸穴１５を貫通し、枠部４と接続部材１３とを機械的に接続している。図１０には詳細に示していないが、それぞれの軸部材は、例えばナット等の締結部材により保持されている。このように各部材が軸部材を介して機械的に接続されることにより、接続部材１３は枠部４と掛止部材５との間を機械的に接続している。
【００４２】
本変形例においては、図６に示すＸ軸と同様の軸を中心軸として、接続部材１３が掛止部材５に対して回動可能に保持されるだけでなく、図１０に示すＹ軸も中心軸として枠部４が接続部材１３に対して回動可能に保持される。Ｙ軸は、有機ＥＬパネル２および枠部４の略中心を横切って通る中心軸である。このように、本変形例に係る照明器具１によれば回動軸が二つあるため、前述した実施の形態２のようにスライド孔１１を設けることなく、照明器具１の有機ＥＬパネル２の光の照射面について適宜調節することができる。
【００４３】
実施の形態２またはその変形例のように、本発明に係る照明器具１において、枠部４と掛止部材５等との回動軸を設けた場合には、照明器具１の照射面について適宜調節できるよう構成することが好ましい。すなわち、側面からの照射だけでなく上面からの照射ができるよう、有機ＥＬパネル２の向きを入れ替えることができるよう構成することが好ましい。このような構成は、有機ＥＬパネル２の向きを入れ替え可能であれば、どのような手段・構造を用いても構わない。図６のようなスライド孔１１、または、図１０のような二つの回動軸を設ける方法以外には、例えば、有機ＥＬパネル２を簡単に取り外しおよび装着可能な構成となるように照明器具１を設計してもよい。
【００４４】
また、第１の軸部材１０または第２の軸部材１４においては、掛止部材５または枠部４と一体に形成されていても構わない。この場合、例えば、第１の軸部材１０の軸部１０ａの部分が、引掛部６が形成されている部材から突出した構造において回動軸として機能する構成が挙げられる。
【００４５】
本実施の形態２においては、枠部４を回動させると枠部４が水槽９の上端で係止され、有機ＥＬパネル２の光が水槽９上面から照射される場合について述べたが、結果的に照明器具本体３が水槽９の上端で係止されれば、どのような構成を取っても構わない。例えば、枠部４の端部に長さを調節可能な引掛部６と同様の形状を有する部材を設けておけば、使用する水槽９の大きさに合わせ適宜調節することもできる。
【００４６】
（実施の形態３）
本実施の形態３に係る照明器具１においては、有機ＥＬパネル２が、水槽９の側面ではなく底面のガラス等を挟んで下側から水槽９内部に向かって照射される点において、実施の形態１と大幅に異なる。そのため、照明器具本体３の構造についても大きく異なる。以下、主に実施の形態１と異なる点について詳細に説明する。
【００４７】
図１１は、実施の形態３に係る照明器具の構成例を示す分解斜視図である。照明器具１は有機ＥＬパネル２と照明器具本体３とから構成されており、有機ＥＬパネル２については実施の形態１と同様である。図１１に示すように、照明器具本体３は、矩形状で一方の主面から他方の主面に向かって貫通した矩形状の穴を有し開口しているパネル保持部材１６と、パネル保持部材１６の各４つの頂点付近の外側に構成されている４つの保持部材１７とを備える。
【００４８】
これらの材質については、有機ＥＬパネル２および水槽９を保持できる当該技術分野において公知の材質であればよく、例えば、プラスチック、木材または金属等から形成されている。図１１に示すように、有機ＥＬパネル２を照明器具本体３に装着する際には上方から置くように挿入される。図示していないが、照明器具１を使用する際には、有機ＥＬパネル２を装着した照明器具本体３を、水槽９の底面の下に置いて使用する。
【００４９】
照明器具１の有機ＥＬパネル２から光が照射されると、それに伴い熱も発せられる。しかし、本実施の形態３に係る照明器具１では、照明器具本体３の４つの保持部材１７が、有機ＥＬパネル２を水槽９の底面と所定の距離に離隔して、保持する。さらに、有機ＥＬパネル２の照射面および側面も開放された状態において使用される。
【００５０】
その結果、光源である有機ＥＬパネル２から発する熱の影響を照射対象物体であるガラス等からなる水槽９に与えにくく、水槽９内の水温に与える影響も小さいため、水温管理を行いやすい。また、有機ＥＬパネル２を光源として使用しているため、省エネルギーである。さらに、照明器具本体３の構造も簡易な構造であるため、省スペース化が可能である。
【００５１】
図１２は、実施の形態３の変形例に係る照明器具の構成例を示す分解斜視図である。本実施の形態３の変形例では、水槽９の底面のガラス等を挟んで下側からも照射でき、かつ、側面のガラス等を挟んで側方からも照射できる点において実施の形態３と異なる。有機ＥＬパネル２は、図１２に示すように、枠部４の側方から挿入され、枠部４の内壁に形成された溝７に嵌合することにより照明器具本体３に装着される。
【００５２】
図１３は、実施の形態３の変形例に係る照明器具の使用状況を示す断面図である。図１３は、側面のガラス等を挟んで側方から照射する様子を示す。実施の形態１と同様、点灯装置８と有機ＥＬパネル２とが、配線により電気的に接続されている。有機ＥＬパネル２を挿入した照明器具本体３を、水槽９の側面に立て掛けることにより、水槽９に保持される。照明器具１に電源を供給すると、図１３の矢印の方向に光が照射される。図示していないが、有機ＥＬパネル２を挿入した照明器具本体３を、水槽９の底面の下に置き、使用することもできる。
【００５３】
本変形例のいずれの使用方法においても、照明器具本体３の４つの保持部材１７が、有機ＥＬパネル２を水槽９の底面または側面と所定の距離に離隔して保持するため、前述した実施の形態３と同様の効果が得られる。さらに、本変形例における照明器具１では、底面のガラス等を挟んで下側から、または、側面のガラス等を挟んで側方から照射できるため、多様な雰囲気の演出によって水槽９内部を鑑賞することができる。
【００５４】
（実施の形態４）
本実施の形態４に係る照明器具１においては、複数の有機ＥＬパネル２を用いて照明器具１が構成されている点において前述した実施の形態１ないし３と異なる。なお、本実施の形態４に係る、照明器具１に複数の有機ＥＬパネル２を用いる方法を、前述した実施の形態１ないし３、またはその変形例において述べたいずれの照明器具１に適用しても構わない。
【００５５】
図１４は、実施の形態４に係る照明器具の構成例を示す正面図である。図１４に示すように、照明器具１は、６枚の有機ＥＬパネル２から構成されており、有機ＥＬパネル２に合わせ、照明器具本体３も６個を繋げたような構成をとっている。
【００５６】
なお、点灯回路が１台ですむように、各有機ＥＬパネル２および照明器具本体３は、電気的に接続されていることが好ましい。有機ＥＬパネル２および照明器具本体３の連結方法については、図１４に示すように、照明器具本体３同士が連結している構造としてもよいし、配線によって連結させた構造を持つものでも構わない。また、有機ＥＬパネル２および照明器具本体３の数も任意であり、例えば、水槽９の大きさに適した大きさに組み立てることができるようにしても構わない。
【００５７】
本実施の形態４に係る照明器具１も、前述した実施の形態１ないし３と同様に、有機ＥＬパネル２が水槽９の側面（または底面）と所定の距離に離隔して保持され、さらに、有機ＥＬパネル２の照射面（および上端の面）が開放された状態において使用される。その結果、光源である有機ＥＬパネル２から発する熱の影響を照射対象物体であるガラス等からなる水槽９に与えにくく、水槽９内の水温に与える影響も小さいため、水温管理を行いやすい。また、有機ＥＬパネル２を光源として使用しているため、省スペースかつ省エネルギーである。さらに、照明器具本体３の構造も簡易な構造である。
【００５８】
また、有機ＥＬパネル２は、大面積になると製造工程上輝度むらが大きくなるので、大面積の有機ＥＬパネル２の作成は難しい。そのため、本実施の形態４に係る照明器具１のように、有機ＥＬパネル２を複数並べることによって、所定の輝度を確保することができる。
【００５９】
以上、前述した実施の形態１ないし４またはその変形例のいずれかでは、ガラス等から構成される水槽９を照射対象物体として用いる場合について述べた。しかし、本発明に係る照明器具１は、照射対象物体に該照射対象物体を透過する光を照射する照明器具であるため、照射対象物体が透光性のある部材から構成されるものならどのようなものでもよい。例えば、透光性セラミック、または、透光性アルミナ等から構成されている照射対象物体でも構わない。
【００６０】
照射対象物体は、水槽９以外にも、例えば、ライトテーブル、ショーケースまたはライトパネル等においても同様の方法で本発明に係る照明器具１を適用することができる。また、これらの透光性の照射対象物体と照明器具１とが、一体化していても構わない。例えば、水槽９と本発明に係る照明器具１とが一体化していても構わない。
【００６１】
図１５は、本発明に係る照明器具の点灯回路の一例である。有機ＥＬパネル２を点灯させるための回路は、例えば、図１５に示すような定電流回路になっており、順方向電圧のばらつきの影響を受けにくくすることが好ましい。さらに、このような点灯回路において、ＰＷＭ（Pulse Width Modulation）または電流調整によって調光ができるようにし、多様な雰囲気の演出を可能にしても構わない。
【００６２】
以上、実施の形態について説明したが、本発明は上述した実施の形態に限定されることはなく、本発明の範囲内で種々の実施形態が可能である。
【００６３】
その他、本発明の好適な変形として、以下の構成が含まれる。
【００６４】
本発明の第１の観点に係る照明器具について、好ましくは、前記照明器具本体の前記保持部は、凹状の引掛部が形成された掛止部材であり、
前記照明器具本体は、少なくとも、前記掛止部材と、内壁に溝が形成された枠部とを備え、
前記有機ＥＬパネルは、前記枠部の前記溝に嵌合することにより、前記照明器具本体に装着され、
前記有機ＥＬパネルが装着された前記照明器具本体は、前記引掛部が前記照射対象物体の上端に引っ掛けられることにより、前記照射対象物体に保持される
ことを特徴とする。
【００６５】
さらに好ましくは、前記照明器具本体の前記枠部は、略コの字状であり、
前記有機ＥＬパネルは、略コの字状の前記枠部の開放された一側面から挿入されるよう、前記照明器具本体に装着される
ことを特徴とする。
【００６６】
好ましくは、前記照明器具本体は、前記枠部を前記掛止部材に対して回動可能に保持する第１の軸部材および第１の軸保持部を備えることを特徴とする。
【００６７】
または、好ましくは、前記照明器具本体は、前記掛止部材と前記枠部との間を機械的に接続する接続部材と、
前記接続部材を前記掛止部材に対して回動可能に保持する第１の軸部材および第１の軸保持部と、
前記枠部を前記接続部材に対して回動可能に保持する第２の軸部材および第２の軸保持部と、
を備えることを特徴とする。
【００６８】
さらに好ましくは、前記照射対象物体は、水槽であることを特徴とする。
【符号の説明】
【００６９】
１    照明器具
２    有機ＥＬパネル
３    照明器具本体
４    枠部
５    掛止部材
６    引掛部
７    溝
８    点灯装置
９    水槽
１０    第１の軸部材
１０ａ  軸部
１０ｂ  つまみ部
１１    スライド孔
１２    第１の軸穴
１３    接続部材
１４    第２の軸部材
１５    第２の軸穴
１６    パネル保持部材
１７    保持部材
【図１】
2011141992.tif 000003
【図２】
2011141992.tif 000004
【図３】
2011141992.tif 000005
【図４】
2011141992.tif 000006
【図５】
2011141992.tif 000007
【図６】
2011141992.tif 000008
【図７】
2011141992.tif 000009
【図８】
2011141992.tif 000010
【図９】
2011141992.tif 000011
【図１０】
2011141992.tif 000012
【図１１】
2011141992.tif 000013
【図１２】
2011141992.tif 000014
【図１３】
2011141992.tif 000015
【図１４】
2011141992.tif 000016
【図１５】
2011141992.tif 000017